【事件の表示】
　特願２００６−１６８００８「インクジェット記録装置およびインクジェット記録装置の制御方法」拒絶査定不服審判事件〔平成１９年１２月２７日出願公開、特開２００７−３３１３０８〕について、次のとおり審決する。
【結　論】
　本件審判の請求は、成り立たない。
【理　由】
第１　手続の経緯
　本願は、平成１８年６月１６日の出願であって、平成２０年４月１０日付け拒絶理由通知に対して、同年６月１６日付けで手続補正がなされたが、同年７月３日付けで拒絶査定がなされ、これに対し、同年８月７日に拒絶査定不服の審判が請求されるとともに、同年９月８日付けで特許請求の範囲および明細書の手続補正がなされたものである。
　これに対し、当審において、平成２０年１１月２５日付けで審査官により作成された前置報告書について、平成２１年１２月２４日付けで審尋を行ったところ、審判請求人は平成２２年２月２３日付けで回答書を提出した。
    　  　
第２　平成２０年９月８日付け手続補正についての補正却下の決定
［補正却下の決定の結論］
　平成２０年９月８日付け手続補正（以下「本件補正」という。）を却下する。
  　　　　　　　　　　
［理　由］
１　本件補正の内容
（１）本件補正は、特許請求の範囲及び明細書についてするものであり、その特許請求の範囲の請求項１について、
　本件補正前に、
「【請求項１】
　インクを吐出可能な吐出部に供給される種類の異なるインクを夫々収納するための交換可能な複数のインクタンクを搭載するためのキャリッジを備え、当該キャリッジの往復移動中に前記吐出部からインクを吐出することにより、記録媒体上に画像を記録するインクジェット記録装置において、
　非記録動作時に前記複数のインクタンクが搭載された前記キャリッジを往復移動させることにより前記キャリッジに搭載された複数のインクタンク内のインクを攪拌する攪拌動作を実行するための攪拌モードを設定するモード設定手段を備え、
　前記モード設定手段は、交換された前記インクタンク内のインクの種類に応じて、前記キャリッジの往復移動の回数が異なる複数の攪拌モードの中から、実行すべき１つの攪拌モードを設定することを特徴とするインクジェット記録装置。」とあったものを、
  　　　　　　
「【請求項１】
　インクを吐出可能な吐出部に供給される種類の異なるインクを夫々収納するための交換可能な複数のインクタンクを搭載するためのキャリッジを備え、当該キャリッジの往復移動中に前記吐出部からインクを吐出することにより、記録媒体上に画像を記録するインクジェット記録装置において、
　
前記複数のインクタンクのうちの少なくとも１つが交換された後の
キャリッジ
　前記モード設定手段は、交換された
インクタンク
　　　　　　
（２）本件補正後の請求項１に係る発明についての上記（１）の補正内容は、次のア乃至ウからなる。
　ア　本件補正前の請求項１に係る発明を特定するために必要な事項である「非記録動作時」に対して「前記複数のインクタンクのうちの少なくとも１つが交換された後の」との限定を付す補正。
          　　　
　イ　本件補正前の請求項１の「複数のインクタンクが搭載された
前記
         　　
　ウ　本件補正前の請求項１の「交換された
前記
　　　　　　　　　
２　補正目的
（１）上記１（２）アの補正内容は、キャリッジを往復移動させる非記録動作時を具体的に限定していることから「特許請求の範囲の減縮」を目的とするものであると認められる。
（２）上記１（２）イ及びウの補正内容は、実質的な内容を変更するものではない。
（３）よって、補正内容ア及びウからなる
本件補正後の請求項１に係る発明についての補正
本件補正後の請求項１に係る発明
　　　　　　　　　　
３　独立特許要件
（１）本件補正発明
　本件補正発明を再掲すると、以下のとおりのものである。
「【請求項１】
　インクを吐出可能な吐出部に供給される種類の異なるインクを夫々収納するための交換可能な複数のインクタンクを搭載するためのキャリッジを備え、当該キャリッジの往復移動中に前記吐出部からインクを吐出することにより、記録媒体上に画像を記録するインクジェット記録装置において、
　前記複数のインクタンクのうちの少なくとも１つが交換された後の非記録動作時に前記複数のインクタンクが搭載されたキャリッジを往復移動させることにより前記キャリッジに搭載された複数のインクタンク内のインクを攪拌する攪拌動作を実行するための攪拌モードを設定するモード設定手段を備え、
　前記モード設定手段は、交換されたインクタンク内のインクの種類に応じて、前記キャリッジの往復移動の回数が異なる複数の攪拌モードの中から、実行すべき１つの攪拌モードを設定することを特徴とするインクジェット記録装置。」　　
　　　
（２）引用文献に記載の事項
　ア　原査定の拒絶の理由に引用された本願出願前に頒布された刊行物である特開２００３−３１１９９３号公報（以下「引用文献１」という。）には、図とともに以下の事項が記載されていると認められる。
　  　　
（ア）「【特許請求の範囲】
【請求項１】 印刷信号に対応してインク滴を吐出する記録ヘッドと、上記記録ヘッドに供給されるインクを貯留する複数のインク収容部を備えたインクカートリッジと、上記インクカートリッジを搭載するとともに上記記録ヘッドが取付けられているキャリッジと、上記
インクカートリッジ内のインクを撹拌する撹拌手段とを備え、上記撹拌手段は、上記複数のインク収容部のインクを選択的に撹拌可能
インクジェット式記録装置
【請求項２】  上記複数のインク収容部には、
複数種類のインク
【請求項３】  上記
インクカートリッジは、インク収容部ごとに独立して存在している
【請求項４】  上記インクカートリッジは、
インクの沈降速度を判断するためのデータを記憶した記憶手段を備え、上記記憶手段のデータに応じて撹拌動作を制御する
【請求項５】  上記記憶手段には、
少なくともつぎに実行する撹拌動作の１つ前に実行した撹拌動作の撹拌条件が記憶されている
【請求項６】  上記撹拌条件が、
撹拌時間と撹拌強さ
・・・（略）・・・
【請求項９】  上記撹拌手段は、記録ヘッドのキャップ装置等を有するホームエリアの近傍または上記
ホームエリア内において動作する
【請求項１０】  上記撹拌手段の撹拌動作を、記録装置の電源投入時、
インクカートリッジ交換時
　　　　　　　　　
（イ）「【０００１】
【発明の属する技術分野】本発明は、
インクカートリッジから供給されたインクをインク滴として吐出する記録ヘッドを備えたインクジェット式記録装置
　      　
（ウ）「【００１１】本発明のインクジェット式記録装置において、上記複数のインク収容部には、
複数種類のインクがそれぞれ収容されている場合には、インクの種類が異なることにより各インク収容部における分散粒子の沈降度合いに差（ばらつき）が発生しても、撹拌が必要とされるインク収容部を選択して、適確な撹拌動作で分散粒子の再分散がなされる
　
（エ）「【００２２】図１は、本発明が適用されるインクジェット式記録装置の周辺構造の一例を示す図である。この装置は、
インクカートリッジ（以下「カートリッジ」という）１が搭載されるとともに、記録ヘッド７３が取り付けられたキャリッジ７５を備えている
【００２３】上記
キャリッジ７５は、タイミングベルト７７を介してステッピングモータ７９に接続され、ガイドバー７８に案内されて記録紙７６の紙幅方向（主走査方向）に往復移動するようになっている
　
（オ）【００２４】そして、上記記録ヘッド７３にカートリッジ１からインクが供給され、
キャリッジ７５を移動させながら記録紙７６上面にインク滴を吐出させて記録紙７６に画像や文字をドットマトリックスにより印刷する
　
（カ）「【００２６】図４は、上記容器本体２を開口側から見た状態を示す。上記容器本体２の挿入方向の先端面（この例では下面）には、インク供給口４が形成され、図４における左右の側面にはそれぞれ係止部材５，６が容器本体２と一体的に形成されている。上記インク供給口４にはインク供給針の挿通により開弁する弁体（図示せず）が収容されている。なお、図２および図３において、２Ｂはインク供給口４側の
係止部材５の下部に設けられた記憶手段（図示せず）を収容する凹部である。この記憶手段は、通常、ＩＣ（集積回路）で構成され、記憶情報としては主として識別番号，インク色の種類，インク容量等であり、ＩＣの端子が静止部材に取付けた端子に接触して、これらの記憶情報が制御装置に伝達されるようになっている
  　
（キ）「【００７０】
顔料等の分散粒子が沈降したときに撹拌動作をする撹拌移動体９２が、インク収容部であるインクカートリッジ１内に配置されている
　
（ク）「【００７７】上記の撹拌手段は、撹拌移動体９２がインク液中を移動して、この移動により
インク液に乱流等を発生させて、沈降している分散粒子を再分散させる
「【００７９】上記記憶手段９４には、種々な情報が記憶させてあるが、ここでは少なくとも、
顔料等の沈降に関するデータ
顔料の沈降速度は、インク液の比重や粘度，顔料の粒度やその質量等により変化し、各色彩のインクごとに異なった速度となる。このような速度データをインクカートリッジ１の製造段階において上記記憶手段９４に記憶させておき
         　
（ケ）「【００８６】さらに、
往復運動としてなされる撹拌動作は、撹拌移動体９２のストローク長さ、単位時間当たりの往復回数をどの程度に設定するかにより、再分散の効果が左右される。したがって、分散粒子の沈降状態に応じてこれらの値を適正なものに変えることが望ましい
       
（コ）「【００９１】図１３に示されたものは、１つのインクカートリッジ１に複数のインク収容部１０５，１０６，１０７が設けられている場合であり、それがキャリッジ７５に搭載されている。
各インク収容部１０５，１０６，１０７には、例えば、シアン，マゼンダ，イエローの各色のように複数種類のインクが収容されている
インク収容部１０８にブラックのインクが貯留されている
【００９２】
図１４に示されたものは、４個のインクカートリッジ１がキャリッジ７５に搭載されたもので、各インクカートリッジ１にそれぞれインク収容部１０５，１０６，１０７，１０８が設けられている
【００９３】上記のようにインク収容部１０５，１０６，１０７，１０８ごと、あるいは独立したインクカートリッジ１ごとに撹拌動作を行わせることができるので、
各インクに応じた再分散となる
    　
（サ）「【００９６】さらに、
顔料等の沈降の状態に応じて、撹拌移動体９２の撹拌動作に複数の段階を設定することもできる。例えば、沈降の状態が著しくて十分な撹拌動作が必要な状態から、撹拌動作は必要であるが沈降の程度が軽度である状態まで、沈降の状態に幅があるので、この状態幅を３段階あるいは５段階に区分して、各段階に応じた撹拌動作を行わせる
上記制御装置９３に伝達された記憶手段９４のデータが根拠とされて、外部磁石９０，９１に投入される駆動信号が、上記段階の数に応じて複数設定される
往復回数を選定することにより、実行される
　　
（シ）図１３、１４から、
色の異なる複数のインクカートリッジ１を搭載した
　
　上記記載から、引用文献１には次の発明が記載されている（以下「引用発明」という。）と認められる。
  
「インク滴を吐出する記録ヘッドと、記録ヘッドに供給されるインクを貯留する色の異なる複数のインクカートリッジと、複数のインクカートリッジを搭載するとともに記録ヘッドが取付けられ主走査方向に往復移動するキャリッジと、
　記録ヘッドにカートリッジからインクが供給され、キャリッジを移動させながら記録紙上面にインク滴を吐出させて記録紙に画像を印刷するインクジェット式記録装置において、　
　インクカートリッジ内の顔料等の分散粒子が沈降したときに
往復運動である撹拌動作をする撹拌移動体
　インクカートリッジに設けられ、インク色の種類や顔料等の沈降に関するデータ等を記憶した記憶手段と、
　撹拌移動体の単位時間当たりの
往復回数
　制御装置は、インクカートリッジ交換時にホームエリア内において撹拌移動体を撹拌動作させる際に、記憶手段からのデータを根拠として各段階の往復回数に応じて駆動信号を複数設定し、沈降している分散粒子を再分散させるようにしたインクジェット式記録装置。」
　　     　　
　イ　原査定の拒絶の理由に引用された本願出願前に頒布された刊行物である特開２００４−１４１１号公報（以下「引用文献２」という。）には、図とともに以下の事項が記載されていると認められる。
  　　　
（ア）「【解決手段】インクを吐出するための記録ヘッドを用いて記録を行うインクジェット記録装置において、前記記録ヘッドを被記録媒体に対して走査させる走査手段と、前回の前記記録ヘッドの記録動作終了後から今回の前記記録ヘッドの動作開始までの時間を計測する計測手段と、前記計測手段による計測結果が予め定められた所定の時間を超えたか否かについての判定を行う判定手段とを備え、
前記走査手段は、前記判定手段の判定結果に応じて、記録動作開始前に前記記録ヘッドを空スキャンさせる
        　
（イ）「【００１０】
【発明が解決しようとする課題】
そこで近年、染料インクにかわり顔料インクを使用するものが実用化されている。通常、染料インクは染料を溶液中に溶解させているのに対し、顔料インクは顔料粒子を溶液中に分散させている。この顔料粒子の長期間の分散安定性は、常に高品位な出力を高い信頼性で得ることができる記録装置にとっては大変重要な要素である。顔料の分散安定性は分散に使用する樹脂や活性剤等の分散剤の種類や組成に大きく影響するが、長期間にわたって変化しないものを得ることは非常に難しい。
通常は、顔料インクを長期間放置しておくと、顔料インク中の顔料濃度が一定でなくってしまう。たとえばインクタンクの上部と下部において顔料濃度が異なってしまうことになるので、その状態で使用すると均一に分散されている時と比較して濃度が異なるという結果になる
　　　
（ウ）「【００２８】
なお、本明細書中で「
空スキャン」とは、記録ヘッドからインクを吐出させずに、記録ヘッドを走査させる動作をいう
    　
（エ）「【００４９】
以上のように、本実施形態では、前回の記録動作時からの経過時間が所定時間を越えた場合、つまり、
インク濃度が不均一になりやすい状況になったらキャリッジの空スキャンを実行するよう構成しているため、供給チューブ内や記録ヘッド内、サブタンク（記録ヘッドと共にキャリッジに搭載されるサブタンク）内のインクの濃度が不均一になっている状態を記録動作前に緩和することができるので、高品位な画像を出力することができる
  　
（オ）「【００５１】
そこで、この第２の実施形態では、
インク濃度の不均一性の緩和と記録時間の短縮化を両立させるために、前回の記録動作終了時から今回の記録動作開始時までの経過時間に応じて空スキャンの回数を異ならせる構成としている。
インク濃度の不均一性が高いと考え、スキャン回数を多くし、一方、前回の記録動作終了時からの経過時間が短かれば、その分、インク濃度の不均一性が低いと考え、スキャン回数を少なくするのである
   　
（カ）「【００５７】
上述したように空スキャンさせる理由は、供給チューブ内や記録ヘッド内、サブタンク（記録ヘッドと共にキャリッジに搭載されるサブタンク）内の
インクを振動させ攪拌させることで、インク濃度の不均一性を緩和する
  　　　　
　上記記載から、引用文献２には次の方法が記載されている（以下「引用方法」という。）と認められる。
  　
「記録ヘッドと共にキャリッジに搭載されるサブタンク内のインクの濃度が不均一になっている状態を
記録動作前に緩和するために
  　
（３）対比
　本件補正発明と引用発明とを対比する。
　ア　引用発明の「インク滴を吐出する記録ヘッド」は本件発明の「インクを吐出可能な吐出部」に相当し、同様に、
「色の異なる複数のインクカートリッジ」は「種類の異なるインクを夫々収納するための交換可能な複数のインクタンク」に、
「キャリッジを移動させながら」は「キャリッジの往復移動中に」に、
「記録紙」は「記録媒体」に、
「印刷する」は「記録する」に、相当する。
  　
　イ　上記アより、引用発明の「インク滴を吐出する記録ヘッドと、記録ヘッドに供給されるインクを貯留する色の異なる複数のインクカートリッジと、複数のインクカートリッジを搭載するとともに記録ヘッドが取付けられ主走査方向に往復移動するキャリッジと、記録ヘッドにカートリッジからインクが供給され、キャリッジを移動させながら記録紙上面にインク滴を吐出させて記録紙に画像を印刷するインクジェット式記録装置」は、
本件補正発明の「インクを吐出可能な吐出部に供給される種類の異なるインクを夫々収納するための交換可能な複数のインクタンクを搭載するためのキャリッジを備え、当該キャリッジの往復移動中に前記吐出部からインクを吐出することにより、記録媒体上に画像を記録するインクジェット記録装置」に相当する。
　
　ウ　引用発明の「撹拌移動体」は「インクカートリッジ交換時にホームエリア内において」動作することから、「複数のインクタンクのうちの少なくとも１つが交換された後の非記録動作時」であることは、当業者にとって明らかである。
　また、引用発明の「３段階あるいは５段階」は本件補正発明の「撹拌モード」に相当し、「制御装置」は「記憶手段からのデータを根拠として各段階の往復回数に応じて駆動信号を複数設定し」ていることから、引用発明の「制御装置」は、往復移動の回数が異なる複数の攪拌モードの中から、実行すべき１つの攪拌モードを設定していることになるので、撹拌モードの「
設定手段
　　
　してみれば、引用発明の「インクカートリッジ内の顔料等の分散粒子が沈降したときに往復運動である撹拌動作をする撹拌移動体と、インクカートリッジに設けられ、インク色の種類や顔料等の沈降に関するデータ等を記憶した記憶手段と、撹拌移動体の単位時間当たりの往復回数を３段階あるいは５段階に段階付けし、撹拌移動体に各段階に応じた撹拌動作を行わせる制御装置と、を備え」と、
本件補正発明の「複数のインクタンクのうちの少なくとも１つが交換された後の非記録動作時に前記複数のインクタンクが搭載されたキャリッジを往復移動させることにより前記キャリッジに搭載された複数のインクタンク内のインクを攪拌する攪拌動作を実行するための攪拌モードを設定するモード設定手段を備え」とは、
「複数のインクタンクのうちの少なくとも１つが交換された後の非記録動作時に前記キャリッジに搭載された複数のインクタンク内のインクを攪拌する攪拌動作を実行するための攪拌モードを設定する
設定手段
　
　エ　引用発明の「制御装置は、インクカートリッジ交換時にホームエリア内において撹拌移動体を撹拌動作させる際に、記憶手段からのデータを根拠として各段階の往復回数に応じて駆動信号を複数設定し、沈降している分散粒子を再分散させる」と
本件補正発明の「モード設定手段は、交換されたインクタンク内のインクの種類に応じて、前記キャリッジの往復移動の回数が異なる複数の撹拌モードの中から、実行すべき１つの攪拌モードを設定する」とは、
「
設定手段
       　　　
　以上のことから、本件補正発明と引用発明とは以下の点で一致する。
　＜一致点＞
「インクを吐出可能な吐出部に供給される種類の異なるインクを夫々収納するための交換可能な複数のインクタンクを搭載するためのキャリッジを備え、当該キャリッジの往復移動中に前記吐出部からインクを吐出することにより、記録媒体上に画像を記録するインクジェット記録装置において、
　前記複数のインクタンクのうちの少なくとも１つが交換された後の非記録動作時に前記キャリッジに搭載された複数のインクタンク内のインクを攪拌する攪拌動作を実行するための撹拌モードを設定する設定手段を備え、
　前記設定手段は、往復移動の回数が異なる複数の攪拌モードの中から、実行すべき１つの攪拌モードを設定するインクジェット記録装置。」　　
  　    　
　一方で、本件補正発明と引用発明とは、以下の点で相違する。
　＜相違点１＞
　撹拌動作に関し
　本件補正発明では「複数のインクタンクが搭載された
キャリッジを
　　　　
　＜相違点２＞
　設定手段に関し
　本件補正発明は「交換されたインクタンク内の
インクの種類に応じて
キャリッジの
　　　　　   　　
（４）判断
　上記＜相違点１＞について検討する。
　ア　引用文献２には「記録ヘッドと共にキャリッジに搭載されるサブタンク内の
インクの濃度が不均一
記録動作前に緩和するために
　  　
　イ　上記アの引用方法における「インクの濃度の不均一」は、分散粒子である顔料の沈降に起因するものであることから、引用発明の「往復運動である撹拌動作」と引用方法の「キャリッジの空スキャン」は、ともに、沈降している分散粒子を再分散させるための動作であるという点で共通している。
　また、引用発明の「複数のインクタンクのうちの少なくとも１つが交換された後の非記録動作時」は、引用方法の「記録動作前」に相当することから、引用発明において、引用方法の「キャリッジの空スキャン」を実行することにより、沈降している分散粒子を再分散させることは、当業者が容易に着想し得たことである。
  　                    　　
　上記＜相違点２＞について検討する。
　ア　キャリッジ上に搭載されているインクタンクでは、静止状態に置かれたインクタンクと比べて、顔料の沈降が比較的起きにくいことは、本願出願前に周知の事実である（例えば、特開２００５−３４２９９３号公報の【００１１】、特開２００５−１３１９０５号公報の【０００４】、特開２００３−３４０３９号公報の【０００８】を参照。以下「周知事実１」という。）。
　
　イ　一方、
長期の間、静止状態に置かれたインクタンク
　        　
　ウ　引用発明において、インクタンク交換時に新たに搭載されるインクタンクは、上記イの「
長期の間、静止状態に置かれたインクタンク
　
　エ　また、インクタンク内における顔料の沈降の度合いが色により異なることも、引用文献１に記載されているように（摘記ウ、クを参照。）、本願出願前に周知の事実である（例えば、特開２００６−６９１２９号公報の【００６６】、特開２００６−１１７５号公報の【０００６】、特開２００５−６７０９４号公報の【００３３】、特開２００１−３２８２８２号公報の【０００７】、特開２０００−３５５６６７号公報の【０００４】を参照。以下「周知事実３」という。）。
　    　
　オ　上記ア乃至エより、引用発明において、新たに交換されたインクタンクは、既にキャリッジ上に搭載されたインクタンクと比較して顔料の沈降の度合いが大きく、その度合いも、当然、色により異なることになる。
　    　
　カ　してみれば、引用発明において、インクタンク交換時に新たに搭載されるインクタンクに設けられた「記憶手段」のインク色に関するデータに応じて撹拌動作の往復回数を「３段階あるいは５段階」の中から一つを選択し、各段階に応じた往復回数で撹拌動作させるようになすことは、当業者が容易に着想し得たことである。
　                        　　
　キ　上記カのように、インクタンク交換時に新たに搭載されるインクタンクに設けられた「記憶手段」のインク色に関するデータに応じて各段階の往復回数で撹拌手段を往復動作させるようになすことは、「交換されたインクタンク内のインクの種類に応じて、撹拌手段を動作させる」ことになる。
　   
　＜相違点についてのまとめ＞
　以上のことから、引用発明において、撹拌動作を「複数のインクタンクが搭載された
キャリッジを
インクの種類に応じて、前記キャリッジの
　また、本件補正発明の奏する効果も、引用発明、引用文献２に記載の事項及び周知事実から当業者が予測し得る範囲内のものである。
　　　　　　　　　
（５）独立特許要件についてのまとめ
　本件補正発明は、引用発明に基づいて当業者が容易に発明をすることができたものであるから、特許法第２９条第２項の規定により特許出願の際独立して特許を受けることができないものである。
　　　　　　　　　　　　　　　
４　補正却下の決定のむすび
　上記「３」のとおり、本件補正発明は特許法第２９条第２項の規定により
特許出願の際独立して特許を受けることができないものであるから、本件補正は、平成１８年法律第５５号改正附則第３条第１項によりなお従前の例に
よるとされる同法による改正前の特許法第１７条の２第５項において準用する同法第１２６条第５項の規定に違反する。
　したがって、本件補正は、同法第１５９条第１項で読み替えて準用する同法第５３条第１項の規定により却下すべきものである。
　　　　
第３　本願発明
１　本願発明
　本件補正は上記のとおり却下されたため、本願の請求項１に係る発明（以下「本願発明」という。）は、前記「第２　１（１）」にて本件補正前の請求項１として記載したとおりのものである。
　　　  　
２　引用文献
　原査定の拒絶の理由で引用された引用文献１、２及びその記載事項は、前記「第２　３（２）」に記載したとおりである。
　　　　　　　　　　
３　対比・判断
　本願発明は、前記「第２　３（３）」で検討した本件補正発明から、「前記複数のインクタンクのうちの少なくとも１つが交換された後の」との限定を省いたものに実質的に相当する。
　そうすると、本願発明の構成要件を全て含み、さらに他の構成要件を付加したものに相当する本願補正発明が、引用発明に基づいて当業者が容易に発明をすることができたものであるから、本願発明も同様の理由により、引用発明に基づいて、当業者が容易に発明をすることができたものである。
　　　　  　
４　むすび
　以上のとおり、本願発明は、引用発明に基づいて、当業者が容易に発明をすることができたものであるから、特許法第２９条第２項の規定により特許を受けることができない。
　よって、結論のとおり審決する。